(57)【特許請求の範囲】
【請求項１】
把持部を有し且つ電池を内蔵した本体と、棒状の加熱部を有した理容部と、前記理容部を前記加熱部の軸周りに回転させる駆動部とを備え、
前記加熱部は、前記本体の一端から軸方向に突出した棒状のもので且つ軸方向に視て多角形状になっており、
前記理容部は、前記加熱部の外周に配置され且つ一端が前記本体に支持されたコームを有し、
前記コームは、前記コームの全周に亘って円周方向に対して軸方向に傾斜し且つ軸方向に交差した櫛部を備え、
前記駆動部は、前記本体内に収納されている
ことを特徴とするまつ毛用整毛装置。
【請求項２】
前記櫛部が螺旋形状である
ことを特徴とする請求項１記載のまつ毛用整毛装置。
【発明の詳細な説明】
【技術分野】
【０００１】
本発明は、コームを介して導入したまつ毛を加熱部で加熱して、所望の形状に整えるまつ毛用整毛装置に関する。
【背景技術】
【０００２】
従来から、整毛装置として、例えば、特許文献１、２に示すようなまつげ成形具等のまつ毛用の理容装置がある。特許文献１に示すまつげ成形具は、ハンドルを有した本体の先端側に、螺旋型のブラシと、ブラシの内側に並行に螺旋型に巻いた発熱体とが設けてある。特許文献２に示すまつげ成形具は、グリップを兼ねる本体ケースの一端に整形ヘッドを有し、整形ヘッドにまつ毛を加熱するヒータが配置してある。そして、整形ヘッドの周面には、まつ毛を整形するための第１整形面と第２整形面とを対向配置して、両整形面のそれぞれにまつ毛を梳く櫛歯が設けてある。このまつ毛整形具では、まつ毛を櫛歯で梳き所望の形状に整え、且つこのまつ毛をヒータの熱で整えた形状に保持させて、整毛する。
【先行技術文献】
【特許文献】
【０００３】
【特許文献１】登録実用新案第３０４２７２３号公報
【特許文献２】特開２００９−２１９５７１号公報
【発明の概要】
【発明が解決しようとする課題】
【０００４】
ところで、特許文献１、２等の従来のまつ毛成形具は、まつ毛をブラシや整形ヘッドで梳くと共に、このまつ毛をヒータや発熱体の熱で加熱し、この状態でさらに、まつげ整形具を把持した手（手首）を動かしてまつげを屈曲させることで、整形するものである。
【０００５】
そのため、これら従来のまつ毛成形具は、手首を動かして所望の形状に整形する、すなわち使用者の技術や操作によって所望の形状に整形するものとなっており、整形時の作業効率があまり高くない。そして、整形ヘッドやブラシ（発熱体）の略同じ部位をまつ毛に接して整形するため、この部位の温度が低下し易く、まつ毛に供給された熱量が不足して、屈曲させた形状に保持し難くなる等で、まつ毛を整形し難くなる（形成力が低下する）恐れがある。
【０００６】
更に、手や手首を動かして所望の形状に整形するため、まつ毛の屈曲具合等の整形した形状が整形した部位毎に異なる等で斑を生じ易く、例えば、略同じ屈曲率で屈曲させたり、屈曲率を連続的に変化させて屈曲させたり等の整形が困難となっている。
【０００７】
そこで、この事情を鑑み、まつ毛を整形し易くし、且つまつ毛に対する形成力及び作業効率の向上したまつ毛用整毛装置を提供することを課題とした。
【課題を解決するための手段】
【０００８】
上記課題を解決するために、本発明のまつ毛用整毛装置は、把持部を有し且つ電池を内蔵した本体と、棒状の加熱部を有した理容部と、前記理容部を前記加熱部の軸周りに回転させる駆動部とを備える。前記加熱部は、前記本体の一端から軸方向に突出した棒状のもので且つ軸方向に視て多角形状になっている。前記理容部は、前記加熱部の外周に配置され且つ一端が前記本体に支持されたコームを有し、前記コームは、前記コームの全周に亘って円周方向に対して軸方向に傾斜し且つ軸方向に交差した櫛部を備える。更に、前記駆動部は、前記本体内に収納されていることを特徴とする。
【０００９】
このまつ毛用整毛装置として、前記櫛部が螺旋形状であることが好ましい。
【発明の効果】
【００１０】
このような構成としたことで、櫛部の間が傾斜した形状となり、まつ毛を整形し易くすることができ、また理容部を回転させてまつ毛に接触させることができ、まつ毛に対する形成力及び作業効率を向上し易くすることができる。
【図面の簡単な説明】
【００１１】
【図１】実施形態の整毛装置の斜視図である。
【図２】整毛装置の分解斜視図である。
【図３】理容部の斜視図である。
【図４】コームを外した状態の理容部周辺の斜視図である。
【図５】コームを外した状態の正面図である。
【図６】コームの平面図である。
【図７】コームの変形例の平面図である。
【発明を実施するための形態】
【００１２】
以下、本発明の実施形態を、図面に基づいて例示して説明する。
【００１３】
＜実施形態１＞
本実施形態の整毛装置は、図１に示すように、電源を内蔵した本体１と、加熱部４及びコーム５を有した理容部１４と、理容部１４を回転させる駆動部３と、本体１に対して着脱自在で理容部１４を覆うキャップ１０（図２参照）とを備える。そして、本実施形態の整毛装置は、まつ毛を屈曲した形状（カールした形状）に整形する所謂まつ毛カーラとなっている。
【００１４】
本体１は、図１に示すように、円柱状で、動作操作用の操作部６が外殻に露出して設けてある。外殻は、電池１３を収納する電池カバー１２と、操作部６を設けたハウジング１１とで形成されており、ハウジング１１は円柱における一端に理容部１４が設けてあり、円柱の反対側の一端に電池カバー１２が着脱自在に設けてある。そして、本体１には、図２に示すように、電源となる電池１３と、電池１３を加熱部４及び駆動部３と電気的に接続する回路部２と、駆動源としてモータ３１を備えた駆動部３とが収納される。以下、円柱の軸方向Ａｘを、単に軸方向Ａｘと記載し、方向の一基準とする。
【００１５】
操作部６は、加熱部４による加熱動作の操作用のスイッチ６１と、駆動部３による回転動作の操作用のスイッチ６２とを有する。スイッチ６１はスライド自在のスライドスイッチとなっており、スイッチ６２は傾倒自在のシーソースイッチとなっている。そして、操作部６はスイッチ６１を操作することで、回路部２を介して、加熱動作の入り切りを操作することができ、スイッチ６２を操作することで、回路部２を介して、回転動作の入り切りと、回転方向の正逆切替とを操作することができる。回路部２は操作部６の操作に応じて、加熱部４の加熱動作の入り切りと、モータ３１の駆動動作（加熱部４の回転動作）の入り切りと、加熱部４の回転方向の正逆切替とを行う。
【００１６】
駆動部３は、駆動源となるモータ３１と、モータ３１の駆動を理容部１４に伝達する駆動伝達部３２とで主体が構成される。モータ３１は軸方向Ａｘに沿って且つ本体１と略同心で回転軸を備えており、駆動伝達部３２は、例えば、遊星減速機構となっている。そして、駆動伝達部３２はモータ３１の回転駆動を略同心で理容部１４に出力しており、駆動部３は理容部１４の加熱部４を軸中心に回転させており、この回転動作は、上述の通り、スイッチ６２により入り切り操作される。
【００１７】
理容部１４は、図３に示すように、まつ毛を加熱するための加熱部４と、まつ毛を梳くためのコーム５とを備え、本体１の一端から軸方向Ａｘに突出して設けてある。
【００１８】
加熱部４はヒータ線４１（図２参照）を内蔵しており、ヒータ線４１は、スイッチ６１の入り操作によって電池１３から回路部２を介して給電されて、発熱し、スイッチ６１の切り操作によって電池１３からの給電が遮断され、発熱を停止する。加熱部４はこのヒータ線４１の発した熱によって毛を加熱する。
【００１９】
そして、加熱部４は、図４に示すように、本体１の一端から軸方向Ａｘに突出した棒状となっており、駆動部３の回転駆動によって、棒の軸心を中心として軸回りに回転する。更に、加熱部４は棒の周面（軸周りの外面）全体が、まつ毛を加熱するための接触面４１ａとなっており、接触面４１ａに接触したまつ毛を加熱する。
【００２０】
また、加熱部４は、図５に示すように、軸方向Ａｘに視て（正面視）多角形形状、具体的には、角（頂点）を丸めた正面視多角形形状となっている。そして、本実施形態では、角（頂点）を丸めた正面視略正三角形形状となっている。そのため、加熱部４は接触面４１ａに平面を有した形状となっている。
【００２１】
コーム５は、図３に示すように、櫛部５１を周面として備えた有底円筒状で、筒内に加熱部４が配置され、且つ底部で加熱部４の先端部を覆っている。櫛部５１は、図６に示すように、加熱部４の回転中心を軸心とした螺旋形状で、加熱部４の接触面４１ａを覆う位置に設けてある。言い換えると、櫛部５１はコーム５の全周に亘って、円周方向（回転円）に対して軸方向Ａｘに傾斜し且つ軸方向Ａｘに交差して形成してある。
【００２２】
そして、櫛部５１の軸方向Ａｘにおける間の空間（隙間）は、加熱部４の接触面４ａにまつ毛を導入するための導入溝５２となっており、コーム５は螺旋形状に導入溝５２を設けた構成となっている。
【００２３】
また、コーム５は筒の開口側の端部が円筒状となっており、この円筒の内周面を本体１の一端に当接して取り付けることで、コーム５は本体１に支持される。そして、コーム５はこの開口側の端部と底部との間に、軸方向Ａｘに長尺の支持部材が設けてあり、支持部材は櫛部５１を内周側から支持する。そのため、コーム５は支持部材によって、櫛部５１の螺旋形状及び底部から開口側の端部までの距離を保ち、且つ生体表面当接時にコーム５の形状変形を抑制する。
【００２４】
このように、円周方向の略全周に亘って接触面４１ａを有した加熱部４において、加熱部４を回転させたことで、毛（まつ毛）を接触させる加熱部４の接触面４１ａを回転に伴って変更することができる。そのため、加熱部４の同じ部位（接触面４１ａ）のみでの毛の加熱による毛への供給熱量の低下を抑制し易くなり、毛を整形し易く（カールさせ易く）することができ、整形時の作業効率等の整毛装置の利便性を向上し易くすることができる。
【００２５】
そして、コーム５の櫛部５１を螺旋形状に設けたことで、加熱部４の接触面４１ａにおいて、櫛部５１の軸方向Ａｘにおける間（導入溝５２）から露出する部位が、円周方向においてずれて位置する構成となっている。そのため、櫛部５１を設けた領域において、全周のいずれかの位置に導入溝５２を有した構成となり、毛を導入溝５２に導入し易くして、毛を加熱部４に接触させ易く（毛を加熱し易く）することができ、整毛装置の利便性を向上し易くすることができる。
【００２６】
更に、加熱部４を軸方向Ａｘに視て（正面視）多角形状とし、接触面４１ａに平面を有した形状としたことで、加熱部４が毛と面接触し易くなる。そのため、毛と点接触し易い正面視円形状の加熱部４に比べて、接触時における毛との接触面積を大きくし易くすることができ、毛に熱を付与し易くすることができ、整形時の作業効率を向上し易くすることができる。
【００２７】
なお、本発明は各実施形態の構成のみに限定されるものではなく、本発明の意図する範囲内であれば、各実施形態において適宜の設計変更を行うことや、各実施形態の構成を適宜組み合わせて適用することが可能である。例えば、図７に示すように、コーム５が円環状の櫛部５１を複数有し、櫛部５１を各々中心を回転中心に位置し且つ円を軸方向Ａｘに傾斜させて軸方向Ａｘに交差して配置した、所謂傾斜円盤形状に複数の櫛部５１を設けたものであってもよい。また、例えば、加熱部４は、円周方向の略全周に亘って接触面４１ａを有した断面円形状であってもよい。また、加熱部４及びコーム５の両方が回転するものであってもよい。また、整毛装置はまつ毛カーラのみに限らない。
【符号の説明】
【００２８】
１  本体
４  加熱部
１３  電池
１４  理容部
３  駆動部
５  コーム
５１  櫛部
Ａｘ  軸方向                                                            
【図１】
0005879560.tif 000002
【図２】
0005879560.tif 000003
【図３】
0005879560.tif 000004
【図４】
0005879560.tif 000005
【図５】
0005879560.tif 000006
【図６】
0005879560.tif 000007
【図７】
0005879560.tif 000008